(57)【要約】  健康管理装置は、健康に関する指標を測定して記憶可能に構成された測定器が接続される制御部と、この制御部に接続され、測定器で測定された測定データを表示するディスプレイとを備えている。制御部は、測定器で測定された測定データのうち、最新の測定データを得て、ディスプレイに表示させるように構成されている。
2009147837.tif 000002
【特許請求の範囲】
【請求項１】
人の健康に関する指標を表示して健康管理を支援する健康管理装置であって、
健康に関する指標を測定して記憶可能に構成された測定器が接続される制御部と、
上記制御部に接続され、上記測定器で測定された測定データを表示する表示部とを備え、
上記制御部は、上記測定器で測定された測定データのうち、最新の測定データを得て、上記表示部に表示させるように構成されていることを特徴とする健康管理装置。
【請求項２】
請求項１に記載の健康管理装置において、
測定者を識別する識別部を備え、
制御部は、複数種類の健康に関する指標をそれぞれ測定する複数の測定器が接続可能に構成されるとともに、上記識別部で識別された測定者に対し予め設定されている測定項目に対応した測定器での測定を行うように案内することを特徴とする健康管理装置。
【請求項３】
請求項１または２に記載の健康管理装置において、
制御部は、測定者の測定データの履歴情報を得て表示部に表示させるように構成されていることを特徴とする健康管理装置。
【請求項４】
請求項１から３のいずれか１つに記載の健康管理装置において、
制御部は、測定者に関する健康情報を得て表示部に表示させるように構成されていることを特徴とする健康管理装置。
【請求項５】
請求項１から４のいずれか１つに記載の健康管理装置において、
制御部が接続されるサーバ装置を備え、
上記サーバ装置は、測定データを測定者向けの形態となるように処理して上記制御部に送信するように構成され、
上記制御部は、上記サーバ装置から送信された測定データを表示部に表示させるように構成されていることを特徴とする健康管理装置。
【請求項６】
請求項５に記載の健康管理装置において、
サーバ装置は、測定データを医療従事者端末に送信するように構成されていることを特徴とする健康管理装置。
【請求項７】
請求項６に記載の健康管理装置において、
サーバ装置は、医療従事者が測定データに基づいて判断した判断情報を制御部に送信するように構成され、
上記制御部は、判断情報を表示部に表示するように構成されていることを特徴とする健康管理装置。
【請求項８】
請求項５から７のいずれか１つに記載の健康管理装置において、
サーバ装置と制御部とは電力線搬送通信により接続されることを特徴とする健康管理装置。
【請求項９】
請求項１から８のいずれか１つに記載の健康管理装置において、
制御部及び表示部は可搬型に構成されていることを特徴とする健康管理装置。
【請求項１０】
請求項１から９のいずれか１つに記載の健康管理装置において、
制御部と、測定器とは可視光通信により接続されることを特徴とする健康管理装置。
【発明の詳細な説明】
【技術分野】
【０００１】
本発明は、例えば血圧や体脂肪等の健康に関する指標を測定して健康管理に役立てる場合に用いられる健康管理装置に関する。
【背景技術】
【０００２】
近年、主に生活習慣の変化により、生活習慣病の患者が増加している。生活習慣病は自覚症状を伴わずに進行していくものなので、その予備軍は特別に意識することなく、これまでの生活習慣を改めることなく生活を送り、やがて病気に至ってしまうことが多い。【０００３】
そこで、生活習慣病の予備軍に対して病気になりかけていることを気付かせて健康管理の重要性を認識させることで、生活習慣病になるのを食い止めようとする試みが行われている。また、生活習慣病は生活習慣を改めることで症状の改善を期待できる病気であるため、生活習慣病になってしまった患者に対しても、健康管理の重要性を認識させて生活習慣を改めさせる試みが行われている。【０００４】
健康管理の意識付けを行うには、例えば、血圧や体脂肪等の健康に関する指標を測定して、それが正常範囲から逸脱していることを本人に知らせて危機感を持たせることが有効である。これを実行するにあたっては、特許文献１に開示されているような健康管理装置を用いることが考えられる。特許文献１の健康管理装置は、家庭内に設置されるものであり、家庭内にある血圧測定器等を接続できるように構成されている。測定器から出力された測定データは、健康管理装置が有する画面に表示されるようになっている。【０００５】
また、一般家庭や事業所等においては、電子式の血圧測定器や体重体組成計等を所有していることが多い。これら電子式の測定器には、過去の測定データや複数人分の測定データを記憶することができるようになっている。
【先行技術文献】
【特許文献】
【０００６】
【特許文献１】特開２００４−１２９９８０号公報
【発明の概要】
【発明が解決しようとする課題】
【０００７】
ところで、健康管理装置に接続される測定器等を、当該健康管理装置に専用のものにすると、健康管理装置を導入するにあたって測定器も一緒に用意しなければならず導入コストが高騰してしまうので、上述した一般の測定器を健康管理装置に接続できるようにして、導入コストの低減を図ることが考えられる。【０００８】
しかしながら、一般の測定器では、過去の測定データや複数人分の測定データを記憶できるようになっているので、健康管理装置に、過去の測定データや他人の測定データが表示されてしまう虞れがある。健康管理装置に表示された測定データが過去のものや他人のものであると、健康管理を適切に行うことができないという問題がある。【０００９】
本発明は斯かる点に鑑みてなされたものであり、その目的とするところは、測定者本人の最新の測定データを表示できるようにすることで、測定データに基づいて適切な健康管理が行えるようにすることにある。
【課題を解決するための手段】
【００１０】
上記目的を達成するために、本発明では、測定器から最新の測定データを得て表示するようにした。【００１１】
具体的には、第１の発明では、人の健康に関する指標を表示して健康管理を支援する健康管理装置であって、健康に関する指標を測定して記憶可能に構成された測定器が接続される制御部と、上記制御部に接続され、上記測定器で測定された測定データを表示する表示部とを備え、上記制御部は、上記測定器で測定された測定データのうち、最新の測定データを得て、上記表示部に表示させるように構成されているものとする。【００１２】
すなわち、測定器に記憶されている測定データのうち最新の測定データは、測定者が過去に測定した過去の測定データではなく、しかも、以前に他人が測定した他人の測定データでもなく、測定者本人の現在の指標を示すデータである。そして、この測定データが表示部に表示されることになる。【００１３】
第２の発明では、第１の発明において、測定者を識別する識別部を備え、制御部は、複数種類の健康に関する指標をそれぞれ測定する複数の測定器が接続可能に構成されるとともに、上記識別部で識別された測定者に対し予め設定されている測定項目に対応した測定器での測定を行うように案内する構成とする。【００１４】
すなわち、測定者の健康状態によって測定項目は異なるものであり、ある測定者にとっては必須である測定項目が他の測定者では測定不要な項目となる場合がある。このような場合に、予め設定されている測定項目のみを測定するように測定者を案内することで、不要な測定項目を測定せずに済み、また、測定洩れを無くすことが可能になる。【００１５】
第３の発明では、第１または２の発明において、制御部は、測定者の測定データの履歴情報を得て表示部に表示させるように構成されているものとする。【００１６】
この構成によれば、過去から現在までの測定データを測定者に把握させることが可能になる。【００１７】
第４の発明では、第１から３のいずれか１つの発明において、制御部は、測定者に関する健康情報を得て表示部に表示させるように構成されているものとする。【００１８】
この構成によれば、測定者に関する健康情報を測定者本人に知らせることが可能になる。【００１９】
第５の発明では、第１から４のいずれか１つの発明において、制御部が接続されるサーバ装置を備え、上記サーバ装置は、測定データを測定者向けの形態となるように処理して上記制御部に送信するように構成され、上記制御部は、上記サーバ装置から送信された測定データを表示部に表示させるように構成されているものとする。【００２０】
この構成によれば、測定者向けの形態となるように処理された測定データが表示部に表示される。【００２１】
第６の発明では、第５の発明において、サーバ装置は、測定データを医療従事者端末に送信するように構成されているものとする。【００２２】
この構成によれば、医療従事者が測定データを把握することが可能になる。【００２３】
第７の発明では、第６の発明において、サーバ装置は、医療従事者が測定データに基づいて判断した判断情報を制御部に送信するように構成され、上記制御部は、判断情報を表示部に表示するように構成されているものとする。【００２４】
この構成によれば、医療従事者の専門的な判断情報を測定者に知らせることが可能になる。【００２５】
第８の発明では、第５から７のいずれか１つの発明において、サーバ装置と制御部とは電力線搬送通信により接続される構成とする。【００２６】
この構成によれば、ＬＡＮケーブルを配線することなく、サーバ装置と制御部とを接続することが可能になる。【００２７】
第９の発明では、第１から７のいずれか１つの発明において、制御部及び表示部は可搬型に構成されているものとする。【００２８】
この構成によれば、制御部及び表示部を持ち運ぶことが可能になるので、様々な場所で測定データを表示することが可能になる。【００２９】
第１０の発明では、第１から９のいずれか１つの発明において、制御部と、測定器とは可視光通信により接続される構成とする。【００３０】
この構成によれば、病院内の医療機器や心臓ペースメーカー等の電子機器に対し、誤作動の原因となるような悪影響を与えることなく、無線通信させることが可能になる。また、可視光が届かなければ通信できないので、高いセキュリティを確保できる。
【発明の効果】
【００３１】
第１の発明によれば、測定器に記憶されている測定データのうち、最新の測定データを表示部に表示させるようにしたので、他人の測定データや過去の測定データが表示部に表示されてしまうのを抑止でき、測定者本人の最新の測定データに基づいて適切な健康管理を行うことができる。【００３２】
第２の発明によれば、測定者を認識し、予め設定された測定項目に対応する測定器による測定を行うように測定者を案内するようにしたので、不要な測定項目を測定せずに済み、測定時間を短縮できるとともに、測定項目を洩れなく測定できる。【００３３】
第３の発明によれば、測定者の測定データの履歴情報を表示部に表示させるようにしたので、過去から現在までの測定データを測定者に把握させることができ、健康管理をより一層適切に行うことができる。【００３４】
第４の発明によれば、測定者に関する健康情報を表示部に表示させるようにしたので、測定者が自分に関する健康情報を知ることができ、健康管理の意識をより強く持たせることができる。【００３５】
第５の発明によれば、測定データをサーバ装置で測定者向けの分かり易い形態として表示部に表示させることが可能になるので、測定データを測定者に把握させ易くできる。【００３６】
第６の発明によれば、医療従事者が測定データを把握して測定者の診断等に役立てることができる。【００３７】
第７の発明によれば、医療従事者が測定データに基づいて判断した判断情報を表示部に表示させることができるので、測定者は医療従事者の専門的な判断情報を知ることができ、健康管理をより一層適切に行うことができる。【００３８】
第８の発明によれば、ＬＡＮケーブルを配線することなく、サーバ装置と制御部とを接続することができるので、健康管理装置の導入コストを低減することができる。【００３９】
第９の発明によれば、制御部及び表示部を可搬型に構成したので、様々な場所で適切な健康管理を行うことができる。【００４０】
第１０の発明によれば、可視光通信をさせることで、病院内の医療機器や心臓ペースメーカー等の電子機器に対し、誤作動の原因となるような悪影響を与えることはなく、安全性を高めることができる。また、可視光の届く範囲内でしか通信できないので、高いセキュリティを確保でき、個人情報である測定データの機密性を高めることができる。
【図面の簡単な説明】
【００４１】
【図１】図１は、実施形態に係る健康管理装置の使用状態を説明する図である。
【図２】図２は、コンバータの斜視図である。
【図３】図３は、サーバ装置のブロック図である。
【図４】図４は、コンバータのブロック図である。
【図５】図５は、測定者が行う作業を示すフローチャートである。
【図６】図６は、コンバータの動作を示すフローチャートである。
【図７】図７は、コンバータが測定データを表示する場合の動作を示すフローチャートである。
【図８】図８は、サーバ装置の動作を示すフローチャートである。
【図９】図９は、初期メッセージ画面を示す図である。
【図１０】図１０は、認証メッセージ画面を示す図である。
【図１１】図１１は、プロフィール画面を示す図である。
【図１２】図１２は、測定項目表示画面を示す図である。
【図１３】図１３は、測定開始メッセージ画面を示す図である。
【図１４】図１４は、測定データの送信中に表示される画面を示す図である。
【図１５】図１５は、測定データの送信後に表示される画面を示す図である。
【図１６】図１６は、終了画面を示す図である。
【図１７】図１７は、表示項目選択画面を示す図である。
【図１８】図１８は、心電図表示画面を示す図である。
【図１９】図１９は、再測定実行画面を示す図である。
【図２０】図２０は、血圧表示画面を示す図である。
【図２１】図２１は、血糖値表示画面を示す図である。
【図２２】図２２は、歩数計データ表示画面を示す図である。
【図２３】図２３は、歩数計に関する目標値を設定する画面を示す図である。
【図２４】図２４は、体重体組成計データ表示画面を示す図である。
【図２５】図２５は、体重体組成計に関する目標値を設定する画面を示す図である。
【図２６】図２６は、履歴表示選択画面を示す図である。
【図２７】図２７は、心電図履歴表示画面を示す図である。
【図２８】図２８は、心拍数をグラフ表示した画面を示す図である。
【図２９】図２９は、血圧履歴表示画面を示す図である。
【図３０】図３０は、歩数計データ履歴表示画面を示す図である。
【発明を実施するための形態】
【００４２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４３】
図１は、本発明の実施形態に係る健康管理装置１を示すものである。この健康管理装置１は、図２に示す心電計１０、自動血圧計１１、体重体組成計１２、歩数計１３及び血糖値計１４が接続されるコンバータ２０と、コンバータ２０にインターネット等の情報通信網（図示せず）を介して接続されるサーバ装置２１とを備えている。サーバ装置２１には、複数のコンバータ２０が接続されるとともに、医療従事者端末２２と、電子カルテシステム２３とが情報通信網を介して接続されている。上記心電計１０、自動血圧計１１、体重体組成計１２、歩数計１３及び血糖値計１４は、健康に関する指標を測定する測定器である。
【００４４】
コンバータ２０には、上記測定器以外にも、健康に関する指標を測定できる機器を接続することが可能であり、図示しないが、例えば、脈波計や体温計等を接続することができる。また、コンバータ２０は、測定者が原則毎日利用して指標を測定するものである。
【００４５】
上記心電計１０としては、非侵襲的なハンディタイプの心臓監視機器が好ましく、例えば、株式会社トライテックが販売しているリードマイハート（商品名）が挙げられる。この心電計１０には、電極が設けられており、電極に左右の親指を載せることで心拍数及び心電図（測定データ）が得られるようになっている。また、心電計１０には、記憶装置（図示せず）と信号線１０ａとが設けられている。記憶装置には、心拍数及び心電図が測定日時と関連付けられて複数記憶されるようになっている。記憶装置に記憶されている心拍数及び心電図は、測定日時と共に信号線１０ａを介して出力可能となっている。
【００４６】
上記自動血圧計１１としては、例えば、オムロンヘルスケア株式会社が販売しているＨＥＭ−７０５ＩＴファジイが挙げられる。この自動血圧計１１には、記憶装置（図示せず）と信号線１１ａとが設けられている。記憶装置には、脈拍数、最低血圧値及び最高血圧値（測定データ）が測定日時と関連付けられて複数記憶されるようになっている。記憶装置に記憶されている脈拍数、最低血圧値及び最高血圧値は、測定日時と共に信号線１１ａを介して出力可能となっている。
【００４７】
体重体組成計１２としては、例えば、オムロンヘルスケア株式会社が販売しているＨＢＦ−３５４ＩＴが挙げられる。この体重体組成計１２には、歩数計１３が接続できるようになっている。歩数計１３としては、オムロンヘルスケア株式会社が販売しているＨＪ−７１０ＩＴが挙げられる。体重体組成計１２では、体重の他に、体脂肪率、ＢＭＩ（Body Mass Index）、筋肉率、基礎代謝、内臓脂肪レベル及び体年齢（測定データ）を測定できるようになっている。体重体組成計１２には、記憶装置と、歩数計１３に接続されるコネクタ（共に図示せず）とが設けられている。記憶装置には、体重、体脂肪率、ＢＭＩ、筋肉率、基礎代謝、内臓脂肪レベル及び体年齢が測定日時と関連付けられて、複数人分記憶されるようになっている。また、各人の測定データは、過去９０日分記憶される。測定データは、測定日時と共に歩数計１３に転送できるようになっている。
【００４８】
歩数計１３には、記憶装置（図示せず）と信号線１３ａとが設けられている。記憶装置には、歩数、しっかり歩数、しっかり歩行時間、消費カロリー、歩行距離、脂肪燃焼量が測定日時と関連付けられて、過去１４日分、記憶されるようになっている。また、歩数計１３には、体重及び歩幅を入力できるようになっている。ここで、しっかり歩数とは、効果的な有酸素運動を行うことができた歩数であり、１日の全歩数の中で、毎分６０歩以上のペースで歩いた歩数と、連続して１０分以上歩いた歩数とを合計した歩数である。しっかり歩行時間とは、有酸素運動を行うことができた時間である。また、消費カロリーは、測定者の体重、歩幅、歩数、ペース等から算出される目安となるものであり、脂肪燃焼量は、消費カロリーに基づいて算出されるものである。また、歩行距離は、歩数と歩幅とから算出されるようになっている。これら測定データも、健康に関する指標である。
【００４９】
歩数計１３の記憶装置には、体重体組成計１２から転送された測定データも記憶されるようになっている。記憶装置に記憶された歩数、しっかり歩数、しっかり歩行時間、消費カロリー、歩行距離及び脂肪燃焼量は、体重、体脂肪率、ＢＭＩ、筋肉率、基礎代謝、内臓脂肪レベル及び体年齢と共に、信号線１３ａを介して出力可能となっている。
【００５０】
血糖値計１４は、ジョンソン＆ジョンソン株式会社が販売しているワンタッチウルトラ（商品名）が挙げられる。この血糖値計１４は、血液をセンサ部（図示せず）に付着させることで血糖値を得ることができるように構成されており、記憶装置（図示せず）と信号線１４ａとを備えている。記憶装置には、血糖値（測定データ）が測定日時と関連付けられて複数記憶されるようになっている。記憶装置に記憶されている血糖値は、信号線１４ａを介して測定日時と共に出力可能となっている。
【００５１】
上記心電計１０、自動血圧計１１及び体重体組成計１２は、測定者毎に用意することなく、複数の測定者で共用することが可能である。一方、歩数計１３は、長時間身につけておくものなので測定者毎に用意しておくのが好ましい。
【００５２】
図３に示すように、サーバ装置２１は、登録者データ記憶部２６と、測定データ記憶部２７と、データ処理部２８とを備えている。登録者データ記憶部２６には、本健康管理装置１の利用が許可された登録ユーザー（測定者）の氏名と、測定者毎に決定されているＩＤ番号と、測定者毎に予め設定されている測定項目情報と、測定者に関する健康情報とが関連付けられて記憶されている。
【００５３】
測定項目情報とは、健康に関する指標のうち、どの指標を測定する必要があるかを示す情報である。測定項目は、測定者の健康状態に応じて医師等の医療従事者が設定するようになっている。例えば、血糖値に異常がある測定者の場合には、血糖値を頻繁に測定する必要があるので、測定項目として毎日入るようになっている。一方、血糖値に異常の無い健康な測定者の場合には、血糖値は頻繁に測定する必要がないので、例えば、１ヶ月に１回の頻度で測定項目に入るようになっている。また、心電図に関しても、健康な測定者の場合には測定頻度が低くてよく、例えば、１ヶ月に１回の頻度で測定項目に入るようになっている。一方、血圧や体重、体脂肪率は、健康な測定者であっても測定項目として毎日入れるのが好ましいので、測定項目に毎日入るようになっている。また、例えば、１ヶ月に一度は、全項目が測定項目に入るようにしてもよい。つまり、測定項目は、測定者によって異なるとともに、測定を行う日によっても異なるようになっている。
【００５４】
登録者データ記憶部２６に記憶されている健康情報としては、病気にかかっていれる測定者であれば生活の上で気を付けるべき事項、食事制限の情報等がある。この健康情報は、サーバ装置２０、医療従事者端末２２及び電子カルテシステム２３のいずれからでも入力できるようになっている。
【００５５】
サーバ装置２１の測定データ記憶部２７は、測定データを測定者のＩＤ番号と測定日時とに関連づけて記憶するようになっている。また、データ処理部２８による測定データの処理については後述する。
【００５６】
また、電子カルテシステム２３は、電子カルテサーバや医師用端末、看護師用端末等からなる周知のものであるため、説明を省略する。
【００５７】
コンバータ２０は、図４に示すように、制御部３０と、ディスプレイ（表示部）３１と、ＩＣカードリーダ３２と、上記測定器が接続される接続部３３と、データ送信ボタン３４と、送受信器３５と、心電計用及び血圧計用表示灯３６、３７とを備えており、図２に示すように、アタッシュケース等のケース４０に収容されて可搬型に構成されている。送受信器３５及び制御部３３は、カバー４１により覆われている。また、ケース４０内には、コンバータ２０以外にも心電計１０や自動血圧計１１を一緒に収容可能な空間が形成されている。心電計用表示灯３６は、ケース４０内における心電計１０の近傍に設けられ、また、血圧計用表示灯３７は血圧計１１の近傍に設けられている。これら表示灯３６、３７は制御部３０に接続されており、心電計用表示灯３６は、心電計１０による測定が必要な場合に点灯し、血圧計用表示灯３７は、血圧計１１による測定が必要な場合に点灯するようになっている。これら表示灯３６、３７により、測定者に対し測定が必要な機器を知らせることができるようになっている。また、コンバータ２０には、図示しないが、電源スイッチが設けられている。さらに、コンバータ２０には充電池が内蔵されており、移動先においてコンセントからの電源が確保できない状況であっても作動するようになっている。
【００５８】
コンバータ２０の設置場所は、一般家庭以外にも、医療施設、学校、職場、ショッピングモール等が挙げられる。これら場所にコンバータ２０と一緒に測定器を準備しておくことで、測定者は、都合の良い場所及び時間を選んで健康に関する指標を測定することが可能になる。さらに、コンバータ２０を特定の地域内で持ち運んで共同で利用することも可能である。
【００５９】
コンバータ２０のディスプレイ３１は、例えば液晶タッチパネルで構成されており、カバー４１の表面の見やすい位置に取り付けられている。ディスプレイ３１は、制御部３０に接続されて駆動されるようになっている。ＩＣカードリーダ３２は、周知の構造のものであり、ディスプレイ３１の側方に配置されている。このＩＣカードリーダ３１は、制御部３０に接続され、ＩＣカードから読み取った情報を制御部３０に出力するように構成されている。ＩＣカードには、測定者の氏名、ＩＤ番号、年齢、身長等の測定者個人の情報を予め記憶しておく。尚、ＩＣカードにはＩＤ番号のみを記憶させておき、氏名、年齢、身長等の個人情報はサーバ装置２１に記憶させておき、ＩＤ番号に基づいてサーバ装置２１から個人情報を引き出してコンバータ２０側に送るようにしてもよい。
【００６０】
コンバータ２０の接続部３３は、例えばＵＳＢ（Universal Serial Bus）等の複数のコネクタを有しており、制御部３０に接続されている。接続部３３に接続された測定器と制御部３０とは通信できるようになっている。尚、コネクタはＵＳＢに限られるものではなく、測定器に合う規格のものであればよい。
【００６１】
データ送信ボタン３４は、制御部３０に接続されており、後述するが、測定器による測定後に測定者が操作することで、測定器に記憶されている測定データを制御部３０に送信するためのものである。また、送受信器３５は、情報通信網を介してサーバ装置２１と無線通信を行うためのものであり、この送受信器３５により、コンバータ２０とサーバ装置２１とがデータのやり取りを行うことができるようになっている。データのやり取りはパケット通信方式で行うことも可能である。また、無線通信の規格は、特に限定されない。尚、制御部３０とサーバー装置２１とは有線接続するようにしてもよい。
【００６２】
制御部３０は、ＣＰＵ（中央演算処理装置）やＲＯＭ、ＲＡＭ等からなるものであり、ディスプレイ３１のタッチパネル部、ＩＣカードリーダ３２及びデータ送信ボタン３４の入力信号を検出して、所定のプログラムに従って動作するようになっている。以下、制御部３０の動作について説明する。
【００６３】
制御部３０は、測定者によってコンバータ２０の電源スイッチがＯＮにされると（図５のステップＳＡ１）、ディスプレイ３１に、図９に示すように、現在の日時と、「あなたのＩＣカードを○の上に載せてください」という初期メッセージを表示させる。尚、○はＩＣカードリーダ３２の読み取り部上の印である。
【００６４】
そして、測定者がＩＣカードを○の上に載せる（図５のステップＳＡ２）と、図６のフローチャートのスタート後のステップＳＢ１に進み、ＩＣカードリーダー３２にＩＣカードのデータを読み込ませる。制御部３０は、ＩＣカードリーダ３２がＩＣカードのデータを読み取った読み取り日時を記憶しておく。
【００６５】
ステップＳＢ１に続くステップＳＢ２では、ＩＣカードから読み込まれたＩＤ番号を送受信器３５を介してサーバ装置２１に送信する。ここでサーバ装置２１の動作について説明すると、送信されてきたＩＤ番号が登録者データベース２６に存在している場合には、登録信号をコンバータ２０に送信し、存在していない場合には未登録信号をコンバータ２０に送信する。登録信号を送信する場合には、その測定者が測定すべき測定項目情報及びその測定者に関する健康情報も送信するようになっている。
【００６６】
ステップＳＢ２に続くステップＳＢ３では、制御部３０が、サーバ装置２１から送信されてきた信号に基づいて、ＩＣカードの所有者が登録ユーザーであるか否かを判定する。ステップＳＢ３において登録ユーザーであるＹＥＳと判定すればステップＳＢ４に進む。一方、非登録ユーザーであるＮＯと判定すればエンドに進み、ディスプレイ３１にはエラー表示をする。このようにして登録ユーザー以外が本健康管理装置１を使用できないようにしている。
【００６７】
ステップＳＢ３からステップＳＢ４に進むと、制御部３０は、ディスプレイ３１に、図１０に示すように「Ａさん（測定者）こんにちは」という認証メッセージを表示させる。このメッセージを数秒間表示させた後、制御部３０は、図１１に示すように、測定者のプロフィール画面を表示させる。プロフィール情報としては、年齢、性別、身長があるが、これら以外の個人情報を表示させるようにしてもよい。プロフィール情報は、ＩＣカードに記憶された情報であってもよいし、サーバ装置２１から送信された情報であってもよい。サーバ装置２１から送信する場合には、登録者データ記憶部２６に、ＩＤ番号に関連づけてプロフィール情報を記憶させておく。
【００６８】
プロフィール画面に表示されている「次へ」ボタンを操作すると、図６のステップＳＢ５に進み、制御部３０は、図１２に示すように、測定項目表示画面を表示させる。この画面により、測定者に対し、予め設定されている測定項目に対応した測定器での測定を行うように案内することができるようになっている。この測定者（Ａさん）の場合は、心電計１０、血圧計１１、歩数計１３、体重体組成計１２で測定する項目が今回の測定項目となっている。
【００６９】
このステップＳＢ５では、測定項目に心電計１０と血圧計１１とが入っているので、制御部３０は、心電計用表示灯３６と血圧計用表示灯３７とを点灯させる。これにより、測定者は、どの測定器で測定すればよいか一目で把握することが可能になる。測定項目表示画面の「測る」ボタンを操作すると、ディスプレイ３１に、図１３に示すメッセージ画面を表示し、次の手順を案内する。
【００７０】
ここで、測定者は、図５のステップＳＡ３に進み、測定項目に対応した測定器で測定を開始することになる。心電計１０で測定した測定データは、測定日時と共に心電計１０の記憶装置に記憶される。また、血圧計１１で測定した測定データも同様に測定日時と共に血圧計１１の記憶装置に記憶される。また、体重体組成計１２で測定した測定データ及び歩数計１３で測定した測定データもそれぞれが有する記憶装置に記憶される。体重体組成計１２の測定データは測定者が歩数計１３に転送する。また、歩数計１３による測定は、コンバータ２０を使用する前日に済ませておくのが好ましい。
【００７１】
次いで、図６のステップＳＢ６に進み、制御部３０は、データ送信ボタン３４が操作されたか否か（図５のステップＳＡ４）を検出する。ステップＳＢ６においてデータ送信ボタン３４が操作されてＹＥＳと判定すれば、制御部３０は、測定器に対して測定データの出力を要求する。これにより、測定器の測定データがコンバータ２０の制御部３０に入力される。ステップＳＢ６でデータ送信ボタン３４が操作されていないＮＯと判定すれば、データ送信ボタン３４が操作されるまで待つ。所定時間経過してもデータ送信ボタン３４が操作されない場合には、操作を促す画面をディスプレイ３１に表示する。
【００７２】
各測定器から制御部３０に入力された測定データは、制御部３０に一時的に記憶させておく。その後、ステップＳＢ７に進み、制御部３０に記憶されている各測定データの測定日時と、ステップＳＢ１でＩＣカードを読み込んだ読み込み日時とを比較し、ステップＳＢ８に進む。ステップＳＢ８では、ステップＳＢ１におけるＩＣカードの読み込み日時以降の測定データを抽出し、他の測定データを破棄する。すなわち、ステップＳＢ１におけるＩＣカードの読み込み日時よりも前に測定された測定データは、今回測定した測定者Ａ以外の他の測定者のデータか、測定者Ａが以前に測定した古いデータである可能性が高いので、これら測定データを破棄して最新の測定データのみを得ることができるようになっている。
【００７３】
このステップＳＢ８において、測定項目中の測定データが１つでも欠如している場合には、ディスプレイ３１にアラーム画面を表示する。このアラーム画面では、欠如している測定項目を示し、それを再測定するように指示する。
【００７４】
続くステップＳＢ９では、ＩＣカードリーダ３２でＩＣカードのデータを再度読み込む。このステップＳＢ９で読み込んだＩＣカードの情報と、ステップＳＢ１で読み込んだＩＣカードの情報とが異なっている場合には、測定者が途中で変わったことが考えられるので、ディスプレイ３１にアラーム画面を表示し、全測定データを破棄した後、ステップＳＢ１に戻って測定者に測定させる。測定データをサーバ装置２１に送信する前に測定者を再度確認することで、誤った測定データがサーバ装置２１に記憶されてしまうのを抑止することが可能である。
【００７５】
続くステップＳＢ１０では、制御部３０に一時的に記憶されている測定データとＩＤ番号とを関連付けて送受信器３５によりサーバ装置２１に送信する。このとき、制御部３０は、図１４に示すように、ディスプレイ３１にデータ送信中画面を表示させ、測定データの送信が終了したら、図１５に示すように、「見る」ボタンと、「終わる」ボタンとを表示させる。尚、サーバ装置２１では、測定データを測定データ記憶部２７に記憶する処理が行われるようになっている。
【００７６】
ステップＳＢ１０に続くステップＳＢ１１では、「終わる」ボタンが操作されたか否か（図５のステップＳＡ５）を判定する。ステップＳＢ１１で「終わる」ボタンが操作されてＹＥＳと判定すれば、図１６に示すように、ディスプレイ３１に終了のメッセージを表示させる。ステップＳＢ１１でＮＯと判定すれば、ステップＳＢ１２に進み、「見る」ボタンが操作されたか否かを判定する。ステップＳＢ１２でＮＯと判定すれば、ステップＳＢ１１に戻る。一方、ステップＳＢ１２で「見る」ボタンが操作されてＹＥＳと判定すれば、測定データをディスプレイ３１に表示させる表示フロー（図７に示す）に移行する。
【００７７】
表示フローでは、スタート後のステップＳＣ１でサーバ装置２１から測定データを取得する。すなわち、制御部３０は、測定者Ａの今回及び過去の全測定項目の測定データを送信するようにサーバ装置２１に要求し、この要求により送信されてきた測定データを一時的に記憶する。このとき、サーバ装置２１から送信される測定データは、後述する測定者個人向けデータ処理が行われたものである。
【００７８】
続くステップＳＣ２では、図１７に示すように、ディスプレイ３１に表示項目選択画面を表示させる。この画面には、「心電計」、「血圧」、「血糖」、「歩数」、「体重体組成」の各選択ボタンと、「戻る」ボタンと、「その他情報」及び「健康情報」ボタンとがある。
【００７９】
制御部３０は、「心電計」ボタンが操作されたことを検出すると、図７のステップＳＣ３に進み、図１８に示すように、ディスプレイ３１に心電図表示画面を表示する。この心電図表示画面には、今回測定した心電図及び心拍数と、測定者Ａの氏名と、「もう一度測定」ボタンと、「次へ」ボタンとが表示されている。「もう一度測定」ボタンが操作されたことを検出すると、図１９に示す再測定実行画面を表示する。「測る」ボタンが操作されたことを検出すると、今回の測定データを破棄し、心電計１０により新たに測定した測定データを記憶する。
【００８０】
制御部３０は、図１８の心電図表示画面の「次へ」ボタンが操作されたことを検出すると、図２０に示すように、ディスプレイ３１に血圧表示画面を表示する。この血圧表示画面には、今回測定した最低血圧値、最高血圧値及び脈拍数と、血圧値が正常範囲にあるか否かを示すための参考図と、「もう一度測定」ボタンと、「次へ」ボタンとが表示されている。「もう一度測定」ボタンが操作されたことを検出すると、心電図の場合と同様に測定者Ａが新たに測定した測定データが制御部に記憶されるようになっている。
【００８１】
制御部３０は、血圧表示画面の「次へ」ボタンが操作されたことを検出すると、図２１に示すように、ディスプレイ３１に血糖値表示画面を表示する。血糖値表示画面には、測定者の血糖値、測定日時、血糖値が正常範囲にあるか否かを示すための参考図と、「次へ」ボタンとが表示されている。尚、図２１に示す血糖値表示画面は、血糖値を今回測定していない場合（２日前に測定した場合）を示している。つまり、測定データの履歴情報を表示している。
【００８２】
制御部３０は、図２１の図２０に示す血糖値表示画面の「次へ」ボタンが操作されたことを検出すると、図２２に示すように、ディスプレイ３１に歩数計データ表示画面を表示する。歩数計データ表示画面には、前日測定した１日歩数、しっかり歩数、しっかり歩行時間、消費カロリー、歩行距離及び脂肪燃焼量と、「目標値設定」ボタンと、「次へ」ボタンとが表示されている。
【００８３】
制御部３０は、図２２の歩数計データ表示画面の「目標値設定」ボタンが操作されたことを検出すると、図２３に示すように、ディスプレイ３１に目標値設定画面を表示する。目標値設定画面には、１日歩数、しっかり歩数及びしっかり歩行時間の各目標値と、目標値設定時に操作する入力ボタンと、「戻る」ボタンとが表示されている。１日歩数、しっかり歩数及びしっかり歩行時間の各々について目標値を設定できるようになっている。
【００８４】
制御部３０は、図２３の目標値設定画面の「戻る」ボタンが操作されたことを検出すると、ディスプレイ３１に図２２に示す歩数計データ表示画面を表示する。歩数計データ表示画面の「次へ」ボタンが操作されたことを検出すると、制御部３０は、図２４に示すように、体重体組成計データ表示画面を表示する。体重体組成計データ表示画面には、体重、ＢＭＩ、基礎代謝、体年齢、体脂肪率、筋肉率及び内臓脂肪レベルと、「目標値設定」ボタンと、「次へ」ボタンとが表示されている。
【００８５】
制御部３０は、図２４の体重体組成計データ表示画面の「目標値設定」ボタンが操作されたことを検出すると、図２５に示すように、ディスプレイ３１に目標値設定画面を表示する。目標値設定画面には、体重及び体脂肪率の各目標値と、目標値設定時に操作する入力ボタンと、「戻る」ボタンとが表示されている。体重及び体脂肪率の各々について目標値を設定できるようになっている。
【００８６】
制御部３０は、図２５の目標値設定画面の「戻る」ボタンが操作されたことを検出すると、ディスプレイ３１に図２４に示す体重体組成計データ表示画面を表示する。体重体組成計データ表示画面の「次へ」ボタンが操作されると、図２６に示す履歴表示選択画面をディスプレイ３１に表示する。この履歴表示選択画面には、「心電計」、「血圧」、「血糖値」、「歩数」及び「体重体組成」の選択ボタンと、「戻る」ボタンとが表示されている。
【００８７】
制御部３０は、履歴表示選択画面の「心電計」ボタンが操作されたことを検出すると、ディスプレイ３１に図２７に示すように心電図履歴表示画面を表示する。心電図履歴表示画面には、カレンダーと、過去数日分の心電図と、「グラフ」ボタンと、「戻る」ボタンとが表示されている。カレンダーで日付を指定できるようになっており、指定した日に測定した心電図（履歴情報）を表示するようになっている。図２７の心電図履歴表示画面の「グラフ」ボタンを操作すると、図２８に示すように、数週間前から現在までの所定期間における心拍数の変化がグラフ（履歴情報）で表示されるようになっている。この所定期間は、任意に変更することができる。制御部３０は、グラフが表示されている画面の「戻る」ボタンが操作されたことを検出すると、図２７の心電図履歴表示画面を表示する。心電図履歴表示画面の「戻る」ボタンが操作されたことを検出すると、図２６の履歴表示選択画面を表示する。履歴表示選択画面の「血圧」ボタンが操作されたことを検出すると、図２９に示す血圧履歴表示画面を表示する。血圧履歴表示画面には、心電図履歴表示画面と同様なカレンダーと、血圧値と、「戻る」ボタンとが表示されている。カレンダーで指定した日に測定した血圧値（履歴情報）が表示されるようになっている。また、履歴表示選択画面の「歩数計」ボタンが操作されたことを検出すると、図３０に示すように、歩数計データ履歴表示画面を表示する。歩数計データ履歴表示画面には、心電図履歴表示画面と同様なカレンダーと、１日歩数と、しっかり歩数と、しっかり歩行時間とが表示されるようになっている。
【００８８】
制御部３０は、図２６の履歴表示選択画面の「戻る」ボタンが操作されたことを検出すると、図１７の表示項目選択画面を表示する。この表示項目選択画面の「健康情報」ボタンが操作されたことを検出すると、測定者Ａに関連する健康情報をディスプレイに表示する。
【００８９】
表示項目選択画面の「戻る」ボタンが操作されたことを検出すると、図１５に示す画面をディスプレイ３１に表示し、この画面の「終わる」ボタンが操作されたことを検出すると、図１６に示す終了画面を表示する。
【００９０】
ここでサーバ装置２１の処理について説明する。サーバ装置２１は、図８に示すように、コンバータ２０から測定データが送信されてきたら、ステップＳＤ１に進んで測定者個人向けデータ処理を行う。ここでは、例えば、心電図の場合、測定者には長い波形を示しても分かり難いので、測定範囲中の一部のみを切り出した波形となるように測定データを処理する。ステップＳＤ１に続くステップＳＤ２では、医療従事者向けデータ処理を行う。このステップＳＤ２では、医療従事者が測定者の健康状態を判断する際の目安として利用できるように測定データを処理し、例えば、所定期間の測定データをグラフ化して表示させる。ステップＳＤ２に続くステップＳＤ３では、電子カルテシステム向けデータ処理を行う。このステップＳＤ３では、測定データを、電子カルテシステム２３に記憶可能なフォーマットに変換するとともに、電子カルテシステム２３に不要な測定項目を削除する処理を行う。
【００９１】
ステップＳＤ３に続くステップＳＤ４では、ステップＳＤ１〜ＳＤ３で処理した各データをコンバータ２０、医療従事者端末２２及び電子カルテシステム２３にそれぞれ送信する。そして、ステップＳＤ５では、処理後の測定データを測定データ記憶部２７に記憶させる。
【００９２】
また、医療従事者端末２２では、測定データに基づいて医療従事者が判断した判断情報や生活指導内容、助言等を入力可能となっている。これら情報は、サーバ装置２１へ送信されて登録者データ記憶部２６に記憶されるようになっている。記憶されている情報は、測定者が登録ユーザーであることが認証されると、コンバータ２０に送信されて制御部３０に記憶されるようになっている。制御部３０は、図１７の表示項目選択画面の「健康情報」ボタンが操作されたことを検出すると、医療従事者からの情報がディスプレイ３１に表示されるようになっている。これにより、測定者は、医療従事者の専門的な判断情報等を医療機関に行くことなく得ることが可能になる。尚、医療従事者とは、例えば、医師、看護師、介護士、保健師等である。
【００９３】
また、制御部３０は、表示項目選択画面の「その他情報」ボタンが操作されたことを検出すると、天気情報や医療に関する情報等をインターネットを介して得て、ディスプレイ３１に表示するようになっている。
【００９４】
また、上述の如く制御部３０は、測定データの測定日時に基づいて測定者がいつ測定したか得ることが可能である。従って、例えば、午前中に測定するように指示されている測定者が指示に従わず午後に測定した場合を把握することができる。この場合、制御部３０は、コンバータ２０のディスプレイ３１に、次回から指定時間中に測定するように促す画面を表示する。また、測定者が測定を行わなかった場合には、制御部３０は、次の測定時に、測定を忘れないように注意する注意画面を表示する。
【００９５】
以上説明したように、この実施形態に係る健康管理装置１によれば、測定器に記憶されている複数の測定データのうち、最新の測定データをディスプレイ３１に表示させるようにしたので、他人の測定データや過去の測定データがディスプレイ３１に表示されてしまうのを抑止でき、測定者本人の最新の測定データに基づいて適切な健康管理を行うことができる。
【００９６】
また、測定者を認識し、測定者に応じて予め設定された測定項目の測定を行うように測定者を案内するようにしたので、不要な測定項目を測定せずに済み、測定時間を短縮できるとともに、測定項目を洩れなく測定できる。
【００９７】
また、測定者の測定データの履歴情報をディスプレイ３１に表示させるようにしたので、測定者に過去から現在までの測定データを把握させることができ、健康管理をより一層適切に行うことができる。
【００９８】
また、測定者に関する健康情報をディスプレイ３１に表示させるようにしたので、測定者が測定者本人に関する健康情報を知ることができ、健康管理の意識をより強く持たせることができる。
【００９９】
また、測定データを測定者向けの分かり易い形態としてディスプレイ３１に表示させることが可能になるので、測定データを測定者に把握させ易くできる。
【０１００】
また、測定データを医療従事者向けのデータに処理するようにしたので、医療従事者が測定データを把握して測定者の診断等に役立てることができる。
【０１０１】
また、医療従事者が測定データに基づいて判断した判断情報をディスプレイ３１に表示させることができるので、測定者は医療従事者の専門的な判断情報を知ることができ、健康管理をより一層適切に行うことができる。
【０１０２】
また、コンバータ２０を可搬型に構成したので、様々な場所で適切な健康管理を行うことができる。
【０１０３】
尚、この実施形態では、ＩＣカードを利用して測定者を認識するようにしているが、これに限らず、例えば、指紋、指静脈等を検出するように構成された生体認証装置を利用して測定者を認識するようにしてもよい。この場合、生体情報をＩＤ番号と共にサーバ装置２１に記憶させておき、コンバータ２０で読み取った生体情報をサーバ装置２１に送信するようにすればよい。
【０１０４】
また、上記コンバータ２０と、心電計１０、自動血圧計１１、体重体組成計１２、歩数計１３及び血糖値計１４とは、無線通信により接続させるようにしてもよい。無線通信の手段の一例としては、例えば、可視光通信が挙げられる。心電計１０とコンバータ２０とを可視光通信によって双方向通信させる場合には、心電計１０及びコンバータ２０に可視光通信用の送受信器（図示せず）をそれぞれ設ける。この送受信器は、周知のものであり、ＬＥＤ等の高速点滅が可能な発光体と、受光素子等からなる光検出器と、発光体及び光検出器に接続される制御装置とを備えている。制御装置は、変調器及び復調器を備えている。変調器は送信するデータに対応する制御信号を発光体へ送出し、これにより発光体を点滅させることにより通信相手へデータを送信可能となっている。また、相手側の発光体から発する光を受光素子で受光して復調器により処理処理することでデータが得られるようになっている。心電計１０以外にも、自動血圧計１１、体重体組成計１２、歩数計１３及び血糖値計１４も、コンバータ２０と可視光通信させることができるのはもちろんである。
【０１０５】
この可視光通信によれば、例えば、コンバータ２０から心電計１０に対し、心電計１０の測定データの出力を要求する信号（データ）を無線送信できる。そして、測定データの出力を要求する信号を受信した心電計１０は、測定データをコンバータ２０に対し無線送信できる。
【０１０６】
本実施形態で可視光通信を行う際には、波長が４００ｎｍ〜７００ｎｍ程度の人間の目が明るさを感じることのできる波長の光を使用するのが好ましい。この波長帯の光は、例えば病院内の医療機器や心臓ペースメーカー等の電子機器に対し、誤作動の原因となるような悪影響を与えることはない。
【０１０７】
また、可視光通信によれば光が届かなければデータを読み取ることができないので、カーテン等で仕切った空間内で通信を行えば、データが外部の者に読み取られることはなく、セキュリティを確保できる。さらに、発光体としては小さなＬＥＤを１つ用い、その発光体から発する光が周囲に拡散しないように遮蔽部材を設けることで、データが周囲に漏れるのを防止でき、より高いセキュリティを確保することができる。また、光検出器が設けられている部分を外部から視認できるようにしておけば、その部分を発光体に向けることで容易、かつ、確実にデータの送受信が可能となる。尚、可視光を用いることなく、赤外線を用いて、コンバータ２０と、心電計１０、自動血圧計１１、体重体組成計１２、歩数計１３及び血糖値計１４とを通信させるようにしてもよい。
【０１０８】
また、コンバータ２０とサーバ装置２１とを可視光通信させることも可能である。この場合、室内の天井等に設置されている照明器具（図示せず）と、照明器具に電力を供給する電力線（図示せず）とを用いる。さらに、コンバータ２０及び照明装置に可視光通信用の送受信器をそれぞれ設ける。そして、電力線搬送通信（ＰＬＣ通信）により、サーバー装置２１と照明装置の可視光通信用送受信器とを通信させ、照明装置の可視光通信用送受信器と、コンバータ２０とを可視光通信させる。これにより、コンバータ２０とサーバ装置２１とを通信させるためのＬＡＮケーブルを配線せずに済む。尚、ＰＬＣ通信は周知のＰＬＣアダプタを用いて行うことができるので、詳細な説明は省略する。
【０１０９】
また、コンバータ２０とサーバ装置２１とは、可視光通信用の送受信器を介さずに、電力線を介してＰＬＣ通信させることもできる。
【０１１０】
また、サーバ装置２１と、医療従事者用端末２２と、電子カルテシステム２３とをＰＬＣ通信させるようにすることも可能である。
【産業上の利用可能性】
【０１１１】
以上説明したように、本発明に係る健康管理装置は、例えば、一般家庭や職場等で使用するのに適している。
【符号の説明】
【０１１２】
１              健康管理装置
２０            コンバータ
２１            サーバ装置
２２            医療従事者端末
３０            制御部
３１            ディスプレイ（表示部）
３２            ＩＣカードリーダ（識別部）
【図１】
2009147837.tif 000003
【図２】
2009147837.tif 000004
【図３】
2009147837.tif 000005
【図４】
2009147837.tif 000006
【図５】
2009147837.tif 000007
【図６】
2009147837.tif 000008
【図７】
2009147837.tif 000009
【図８】
2009147837.tif 000010
【図９】
2009147837.tif 000011
【図１０】
2009147837.tif 000012
【図１１】
2009147837.tif 000013
【図１２】
2009147837.tif 000014
【図１３】
2009147837.tif 000015
【図１４】
2009147837.tif 000016
【図１５】
2009147837.tif 000017
【図１６】
2009147837.tif 000018
【図１７】
2009147837.tif 000019
【図１８】
2009147837.tif 000020
【図１９】
2009147837.tif 000021
【図２０】
2009147837.tif 000022
【図２１】
2009147837.tif 000023
【図２２】
2009147837.tif 000024
【図２３】
2009147837.tif 000025
【図２４】
2009147837.tif 000026
【図２５】
2009147837.tif 000027
【図２６】
2009147837.tif 000028
【図２７】
2009147837.tif 000029
【図２８】
2009147837.tif 000030
【図２９】
2009147837.tif 000031
【図３０】
2009147837.tif 000032
【国際調査報告】
2009147837.tif 000033
2009147837.tif 000034
2009147837.tif 000035
2009147837.tif 000036
2009147837.tif 000037